(57)【特許請求の範囲】
【請求項１】
単位帳票がミシン目で連接された連続帳票を供給する供給部と、
上記供給部から供給された連続帳票を送り方向に沿って折り畳む折り畳み装置とを有し、
上記折り畳み装置は、連続帳票を巻き掛ける複数本のガイド棒と、複数本のガイド棒のうちで上記供給部側に位置するガイド棒に連続帳票を押え付け、この連続帳票に送り方向の抵抗を付与する押え部材と
を備えて構成された連続帳票の折り畳み設備。
【請求項２】
単位帳票がミシン目で連接された連続帳票を供給する供給部と、
上記供給部から供給された連続帳票を送り方向に沿って折り畳む折り畳み装置とを有し、
上記折り畳み装置は、連続帳票を巻き掛ける複数本のガイド棒と、複数本の上記ガイド棒のうち、所定のガイド棒に設けられ、少なくとも連続帳票の幅方向端部を上記ガイド棒から離隔させる離隔部材と
を備えて構成された連続帳票の折り畳み設備。
【請求項３】
単位帳票がミシン目で連接された連続帳票を供給する供給部と、
上記供給部から供給された連続帳票を送り方向に沿って折り畳む折り畳み装置とを有し、
上記折り畳み装置は、連続帳票を巻き掛ける複数本のガイド棒と、上記供給部側に位置する上記ガイド棒に連続帳票を押え付け、この連続帳票に送り方向の抵抗を付与する押え部材と、複数本の上記ガイド棒のうち、所定のガイド棒に設けられ、少なくとも連続帳票の幅方向端部を上記ガイド棒から離隔させる離隔部材と、
を備えて構成された連続帳票の折り畳み設備。
【請求項４】
上記離隔部材は、連続帳票の幅方向長さよりも短い間隔でガイド棒に設けられた一対のローラである請求項２又は３に記載の連続帳票の折り畳み設備。
【請求項５】
上記離隔部材は、ガイド棒に同軸に設けられ、連続帳票の幅方向長さよりも短く、中央部が大径で両端部が小径に形成された鼓状部材である請求項２又は３に記載の連続帳票の折り畳み設備。
【発明の詳細な説明】
【０００１】
【発明の属する技術分野】
本発明は、処理済み帳票を形成する連続帳票を送り方向に沿って折り畳む連続帳票の折り畳み設備に関する。
【０００２】
【従来の技術】
図７に示すように、単位帳票が横ミシン目で連接された連続帳票１は、上記横ミシン目で交互に折り重ねられて積層状態とされ、折り畳み設備１０の給紙台１１に載置される。この折り畳み設備１０は、連続帳票１を、送り方向に延びる２本の折れ目線２（図８）に沿って３つ折りにするものである。
【０００３】
この折り畳み設備１０では、連続帳票１を給紙台１１の給紙ガイド棒１２から折り畳み装置１３へ送給し、この折り畳み装置１３の第１ガイド棒１４、第２ガイド棒１５、第３ガイド棒１６及び第４ガイド棒１７に連続帳票１を巻き掛けることにより、連続帳票１に送り方向の抵抗を付与し、図８に示す三角バー１８、第１ボールバー１９及び第２ボールバー２０を通して、連続帳票１を送り方向に沿って３つ折りする。
【０００４】
また、図９は、連続帳票５を、送り方向に延びる１本の折れ目線６（図１０）にて折り畳む２つ折り用の折り畳み設備２１である。この折り畳み設備２１でも、連続帳票５が横ミシン目で交互に折り重ねられて積層され、給紙台１１上に載置されている。この折り畳み設備２１では、連続帳票５は、給紙台１１の上方の給紙ガイド棒１２から、折り畳み装置２２の第１ガイド棒２３、第２ガイド棒２４及び第３ガイド棒２５に巻き掛けられ、図１０に示すように、第３ガイド棒２５の上方で、折れ目線６に沿って２つ折りされる。
【０００５】
【発明が解決しようとする課題】
上述のように、図７及び図８に示す折り畳み設備１０では、三角バー１８、第１ボールバー１９及び第２ボールバー２０による連続帳票１の折り畳みが良好に行なわれるように、連続帳票１を各ガイド棒１４、１５、１６、１７に巻き掛けて複数回に渡り強く屈曲させ、この連続帳票１に送り方向の抵抗を付与している。ところが、折り畳み設備１０を停止させた場合、運転時における送りの勢いで連続帳票１が給紙台１１より余分に引き出されて各ガイド棒１４、１５、１６、１７の間で連続帳票１にたるみが生じる。そして、再起動時に連続帳票１の送りが再開されると、このたるみが無くなった瞬間に各ガイド棒１４、１５、１６、１７の間で連続帳票１が急激に引張られる。このときに、連続帳票１の横ミシン目が、丁度ガイド棒１４、１５、１６、１７の位置にあると、横ミシン目に大きな引張り力が加わり、この横ミシン目から連続帳票１が切断されてしまうことがある。
【０００６】
また、給紙台１１上の連続帳票１の終了段階では、第１ガイド棒１４、第２ガイド棒１５、第３ガイド棒１６及び第４ガイド棒１７によって連続帳票１に付与される送り方向の抵抗が小さくなり、この間の連続帳票１にたるみが発生し、連続帳票１に適度な抵抗を付与することができず三角バー１８、第１ボールバー１９及び第２ボールバー２０による連続帳票１の折り畳み時に、折りずれ不良が発生する場合がある。
【０００７】
また、図９及び図１０に示す折り畳み設備２１では、連続帳票５が２つ折りされるため、第３ガイド棒２５に巻き掛けられた連続帳票５は、図１１に示すように、その幅方向において円弧形状となる。そこで、この折り畳み設備２１においても停止させた場合、起動時における送りの勢いで連続帳票５が余分に引き出されて、第１ガイド棒２３、第２ガイド棒２４及び第３ガイド棒２５間で連続帳票５にたるみ５Ａが生じる。そして、再起動時に連続帳票５の送りが再開されると、このたるみ５Ａが無くなった瞬間に、連続帳票５は第３ガイド棒２５の位置で引張られる。このとき、連続帳票５の横ミシン目が第３ガイド棒２５の位置にあると、この横ミシン目は連続帳票５の幅方向両端部側が最も切れ易く、然も連続帳票５が上述のように円弧形状にあるため、第３ガイド棒２５によって横ミシン目の端部から切れ始め、連続帳票５が切断されてしまう場合がある。
【０００８】
更に、この折り畳み設備２１においても、給紙台１１上の連続帳票５の終了段階で、第１ガイド棒２３、第２ガイド棒２４及び第３ガイド棒２５間に巻き掛けられた連続帳票５にたるみ５Ａが生じ、このたるみ５Ａが原因となって、２つ折り時に折りずれが発生してしまうことがある。
【０００９】
本発明の課題は、上述の事情を考慮してなされたものであり、再起動時における連続帳票の切断や、連続帳票終了段階における折りずれ不良を解消できる連続帳票の折り畳み設備を提供することにある。
【００１０】
【課題を解決するための手段】
請求項１に記載の発明は、単位帳票がミシン目で連接された連続帳票を供給する供給部と、上記供給部から供給された連続帳票を送り方向に沿って折り畳む折り畳み装置とを有し、上記折り畳み装置は、連続帳票を巻き掛ける複数本のガイド棒と、複数本のガイド棒のうちで上記供給部側に位置するガイド棒に連続帳票を押え付け、この連続帳票に送り方向の抵抗を付与する押え部材とを備えて構成されたものである。
【００１１】
請求項２に記載の発明は、単位帳票がミシン目で連接された連続帳票を供給する供給部と、上記供給部から供給された連続帳票を送り方向に沿って折り畳む折り畳み装置とを有し、上記折り畳み装置は、連続帳票を巻き掛ける複数本のガイド棒と、複数本の上記ガイド棒のうち、所定のガイド棒に設けられ、少なくとも連続帳票の幅方向端部を上記ガイド棒から離隔させる離隔部材とを備えて構成されたものである。
【００１２】
請求項３に記載の発明は、単位帳票がミシン目で連接された連続帳票を供給する供給部と、上記供給部から供給された連続帳票を送り方向に沿って折り畳む折り畳み装置とを有し、上記折り畳み装置は、連続帳票を巻き掛ける複数本のガイド棒と、上記供給部側に位置する上記ガイド棒に連続帳票を押え付け、この連続帳票に送り方向の抵抗を付与する押え部材と複数本の上記ガイド棒のうち、所定のガイド棒に設けられ、少なくとも連続帳票の幅方向端部を上記ガイド棒から離隔させる離隔部材とを備えて構成されたものである。
【００１３】
請求項４に記載の発明は、請求項２又は３に記載の発明において、上記離隔部材は、連続帳票の幅方向長さよりも短い間隔でガイド棒に設けられた一対のローラであるようにしたもの。
【００１４】
請求項５に記載の発明は、請求項２又は３に記載の発明において、上記離隔部材は、ガイド棒に同軸に設けられ、連続帳票の幅方向長さよりも短く、中央部が大径で両端部が小径に形成された鼓状部材であるようにしたものである。
【００１５】
請求項１又は３に記載の発明には、次の作用がある。
ガイド棒に、連続帳票を押し付けて送り方向に抵抗を付与する押え部材が設置されたので、連続帳票に送り方向の抵抗を付与することができ、折り畳み設備を停止させたとき、運転時における送りの勢いで連続帳票が供給部より余分に引き出されて折り畳み装置内で連続帳票にたるみが発生することを防止できる。このため、再起動時に連続帳票の送りが再開されたとしても、連続帳票に急激な引張り力が作用することを防止でき、よって連続帳票の切断を防止できる。また、たとえ折り畳み装置内の連続帳票にたるみが生じることがあったとしても、押え部材にて連続帳票に抵抗を付与するようにしたため、連続帳票を複数本のガイド棒により複数回に渡り強く屈曲させて連続帳票に抵抗を付与する必要がないので、再起動時に連続帳票の送りが再開されたときにも、連続帳票の抵抗が過大とならず、連続帳票の切断を防止できる。
【００１６】
また、ガイド棒に連続帳票を押え付けて送り方向の抵抗を付与する押え部材が設置されたので、連続帳票の終了段階においても、折り畳み装置内の連続帳票にたるみが発生することを防止できる。このため、連続帳票の終了段階においても、この折り畳み装置による連続帳票の折り畳みが良好になり、折りずれの発生を防止できる。
【００１７】
請求項２〜５のいずれかに記載の発明には、次の作用がある。
所定のガイド棒に、連続帳票の幅方向端部をガイド棒から離隔させる離隔部材が設置されたので、この離隔部材によって連続帳票の幅方向端部が所定のガイド棒に対して非接触状態とされる。連続帳票の横ミシン目は、停止後の再起動時に連続帳票が引張られたとき、上記接触したガイド棒によって幅方向端部から切断され易い。しかし、上述のように、連続帳票の幅方向端部が所定のガイド棒に対して非接触状態とされているので、横ミシン目の幅方向端部も所定のガイド棒に対して非接触状態とされ、停止後の再起動時に連続帳票が引張られたときの横ミシン目の切断、つまり連続帳票の切断を防止できる。
【００１８】
【発明の実施の形態】
以下、本発明の実施の形態を、図面に基づいて説明する。
図１は、本発明に係る連続帳票の折り畳み設備の第１の実施の形態を示す側面図である。図２は、図１の折り畳み設備の折り畳み装置を示す斜視図である。
【００１９】
折り畳み設備３０は、給紙台３２及び給紙ガイド棒３３を備えてなる供給部３４と、連続帳票１を折れ目線２ａ、２ｂに沿って折り畳む折り畳み装置３５と、を有して構成される。
【００２０】
図１及び図２に示す連続帳票１は、単位帳票３が、連続帳票１の長手方向（送り方向）に直角方向な横ミシン目４により連接されたものであり、更に、各単位帳票３に、連続帳票１の長手方向（送り方向）に延びる折れ目線２ａ、２ｂが平行に形成されたものである。この連続帳票１は、不図示のピントラクタの送りによって給紙台３２から送り出される。
【００２１】
単位帳票３は、連続帳票１に連接された状態で、折り畳み設備３０により２本の折れ目線２ａ、２ｂにて３つ折りに折り畳まれ、次工程の切断機構３１へ送られて横ミシン目４が切断され、更に圧着機構（図示せず）へ送られて圧着され処理済み帳票として形成される。この処理済み帳票は、所定単位毎に丁合された後、図示しないストッカ装置に収納される。このように処理済み帳票が所定単位毎に丁合されるので、上述の折り畳み設備３０、切断機構３１及び圧着機構は、丁合単位毎に停止し、その後運転再開する断続運転を実施する。
【００２２】
供給部３４の給紙台３２には、連続帳票１が横ミシン目４にて交互に折り畳まれた積層状態で載置される。給紙ガイド棒３３は、給紙台３２の上方に設置され、積層状態の連続帳票１を引き出して折り畳み装置３５側へ導くものである。
【００２３】
上記折り畳み装置３５は、図２に示すように、第１ガイド棒３６、第２ガイド棒３７、第３ガイド棒３８及び第４ガイド棒３９がフレーム３９Ａに支持され、更にこのフレーム３９Ａに三角バー４０、第１ボールバー４１及び第２ボールバー４２が支持されたものであり、第１ガイド棒３６に押え部材としてのブラシ体４３が装着されている。
【００２４】
第２ガイド棒３７及び第３ガイド棒３８は同一高さで並設され、第１ガイド棒３６は第２ガイド棒３７及び第３ガイド棒３８の上方に配設される。ブラシ体４３は、第１ガイド棒３６から第２ガイド棒３７へ向って垂設される。このブラシ体４３は、不図示の調整手段により第２ガイド棒３７との間隔を調整自在とされ、これにより、第２ガイド棒３７に対するブラシ体４３の押し付け力を調整可能とされる。従って、連続帳票１は、供給部３４の給紙ガイド棒３３から第１ガイド棒３６と第２ガイド棒３７との間を通り、この間にブラシ体４３によって第２ガイド棒３７に押し付けられ、送り方向の適度な抵抗が付与される。
【００２５】
ブラシ体４３にて抵抗が付与された連続帳票１は、第３ガイド棒３８を経て第４ガイド棒３９に巻き掛けられ、この第４ガイド棒３９の上方に配設された三角バー４０、第１ボールバー４１及び第２ボールバー４２に至る。
【００２６】
三角バー４０は、第４ガイド棒３９から上方に引き出された連続帳票１の奥側の折れ目線２ａを折り畳み装置３５の外側に押し出すように機能し、第１ボールバー４１は、三角バー４０にて押し出された折れ目線２ａを挟み込むように屈曲され、この折れ目線２ａを絞って連続帳票１を折り畳むように機能する。また、第２ボールバー４２は、連続帳票１の手前側の折れ目線２ｂを折り畳み装置３５の内側に押すように機能する。これらの三角バー４０、第１ボールバー４１及び第２ボールバー４２により、連続帳票１が折れ目線２ａ、２ｂに沿って３つ折りに折り畳まれ、この連続帳票１が図１の折り補助バー４４へ導かれて、連続帳票１の折れ目線２ａ、２ｂが確実に折り込まれる。
【００２７】
上記折り畳み設備３０によれば、第１ガイド棒３６に、連続帳票１を第２ガイド棒３７に押え付け、送り方向の抵抗を付与するブラシ体４３が設置されたので、連続帳票１に送り方の適度な抵抗を付与することができ、断続運転における停止時に、運転時における送りの勢いで連続帳票１が給紙台１１より余分に引き出されて折り畳み装置３５内の第１ガイド棒３６とボールバー４１との間で連続帳票１にたるみが発生することを防止できる。このため、再起動時に連続帳票１の送りが再開されたとしても、連続帳票１のたるみがなくなった瞬間に連続帳票１に急激な引張り力が作用するという現象を防止でき、よって連続帳票１の切断を防止できる。また、たとえ折り畳み装置３５内の連続帳票１にたるみが生じることがあったとしても、ブラシ体４３にて連続帳票１に抵抗を付与するようにしたため、従来の折り畳み設備１０の折り畳み装置１３のように、ガイド棒１４、１５、１６、１７を用いて連続帳票１を複数回に渡り強く屈曲させて抵抗を付与する必要がないので、断続運転の再起動時に連続帳票１の送りが再開されたときにも、連続帳票１の抵抗が過大とならず、連続帳票１の切断を防止できる。
【００２８】
また、第１ガイド棒３６に、連続帳票１を第２ガイド棒３７に押え付け、送り方向の抵抗を付与するブラシ体４３が設置されたので、給紙台３２上の連続帳票１の終了段階においても、連続帳票１に送り方の適度な抵抗を付与することができ、折り畳み装置３５内で連続帳票１にたるみが発生することを防止できる。このため、連続帳票１の終了段階においても、この折り畳み装置３５の三角バー４０、第１ボールバー４１及び第２ボールバー４２による連続帳票１の折り畳みが良好になり、折りずれの発生を防止できる。
【００２９】
図３は、本発明に係る連続帳票の折り畳み設備の第２の実施の形態を示す側面図である。図４は、図３の折り畳み設備の折り畳み装置を示す斜視図である。図５は、図４のローラと連続帳票との関係を示す正面図である。図６は、図４の折り畳み装置の変形例における図５に対応した正面図である。この第２の実施の形態において、前記第１の実施の形態と同様な部分は、同一の符号を付すことにより説明を省略する。
【００３０】
折り畳み設備５０は、給紙台３２及び給紙ガイド棒３３を備えてなる供給部３４と、連続帳票５の折れ目線６に沿って２つ折りに折り畳む折り畳み装置５１と、を有して構成される。
【００３１】
連続帳票５は、単位帳票７が、連続帳票５の長手方向（送り方向）に直角方向の横ミシン目８により連接されたものであり、各単位帳票７に、連続帳票５の長手方向（送り方向）に延びる折れ目線６が形成されたものである。この連続帳票５も、折り畳み設備５０にて折り畳まれた後、切断機構３１によって横ミシン目８が切断されて単位帳票７となり、更に、圧着機構（不図示）にて圧着されて処理済み帳票となり、丁合後ストッカ装置に収納される。従って、この折り畳み設備５０も、切断機構３１及び圧着機構とともに、丁合単位毎に断続運転する。
【００３２】
折り畳み装置５１は、図４に示すように、ブラシ体４３を備えた第１ガイド棒３６と、第２ガイド棒３７及び第３ガイド棒３８とがフレーム５２に支持され、更に、第４ガイド棒５４及び第５ガイド棒５５を備えて構成される。供給部３４の給紙ガイド棒３３から引き出された連続帳票５は、第１ガイド棒３６のブラシ体４３と第２ガイド棒３７との間を通過する間に、ブラシ体４３によって第２ガイド棒３７に押し付けられ、送り方向の抵抗が付与される。
【００３３】
上記第５ガイド棒５５は、連続帳票５の搬送方向において最も下流に位置するガイド棒であり、この第５ガイド棒５５に離隔部材としての一対のローラ５６が設置される。一対のローラ５６は、第５ガイド棒５５の軸方向において、連続帳票５の幅方向長さよりも短い間隔で第５ガイド棒５５に取り付けられ、連続帳票５の幅方向端部９を第５ガイド棒５５から離隔させる。従って、連続帳票５に形成された横ミシン目８における幅方向端部８Ａも、第５ガイド棒５５から離隔され、非接触状態となる。
【００３４】
連続帳票５は、上記第５ガイド棒５５のローラ５６にて図５に示すように円弧形状となり、このローラ５６から引き出されて（図４）、折れ目線６に沿って折り畳まれて２つ折りとされ、折り補助バー４４（図３）にて折れ目線６が確実に折り込まれる。
【００３５】
上記折り畳み設備５０によれば、第１ガイド棒３６に、連続帳票５を第２ガイド棒３７に押え付け、送り方向の抵抗を付与するブラシ体４３が設置されたので、連続帳票５に送り方の適度な抵抗を付与することができ、断続運転時における停止時に、運転時における送りの勢いで連続帳票５が給紙台３２より余分に引き出されて折り畳み装置３５内の第１ガイド棒３６と第５ガイド棒５５との間で連続帳票５にたるみが発生することを防止できる。このため、再起動時に連続帳票５の送りが再開されたとしても、連続帳票５のたるみがなくなった瞬間に連続帳票５に急激な引張り力が作用することを防止でき、よって連続帳票５の切断を防止できる。また、たとえ折り畳み装置３５内の連続帳票１にたるみが生じることがあったとしても、第５ガイド棒５５に連続帳票５の幅方向端部９を第５ガイド棒５５から離隔させる一対のローラ５６が設置されたので、このローラ５６によって連続帳票５の幅方向端部９が第５ガイド棒５５に対して非接触状態とされるため、最も切れ易い横ミシン目８の幅方向端部８Ａも第５ガイド棒５５に対して非接触状態とされる。よって断続運転の再起動時に連続帳票５の送りが再開され、連続帳票５のたるみがなくなった瞬間に連続帳票５が引張られたとしても、横ミシン目８の切断、つまり連続帳票５の切断を防止できる。
【００３６】
また、第１ガイド棒３６に、連続帳票５を第２ガイド棒３７に押え付け、送り方向の抵抗を付与するブラシ体４３が設置されたので、給紙台３２上の連続帳票５の終了段階においても、連続帳票５に送り方向の適度な抵抗を付与することができ、折り畳み装置５１内で連続帳票５にたるみが発生することを防止できる。このため、連続帳票５の終了段階においても、この折り畳み装置５１による連続帳票５の折り畳みが良好になり、折りずれの発生を防止できる。
【００３７】
尚、第５ガイド棒５５に一対のローラ５６が設置されたものを述べたが、この一対のローラ５６の代わりに、図６に示す鼓状部材５７であっても良い。この鼓状部材５７は、第５ガイド棒５５に同軸に設置され、軸長が連続帳票５の幅方向長さよりも短く、かつ中央部が大径で両端部が小径に形成されたものである。この鼓状部材５７によっても、連続帳票５の幅方向端部９が第５ガイド棒５５に非接触状態となるので、ローラ５６と同様に、連続帳票５の横ミシン目８からの切断を防止できる。
【００３８】
【発明の効果】
以上のように、本発明に係る連続帳票の折り畳み設備によれば、再起動時における連続帳票の切断や、連続帳票終了段階における折りずれ不良を解消できる。
【図面の簡単な説明】
【図１】図１は、本発明に係る連続帳票の折り畳み設備の第１の実施の形態を示す側面図である。
【図２】図２は、図１の折り畳み設備の折り畳み装置を示す斜視図である。
【図３】図３は、本発明に係る連続帳票の折り畳み設備の第２の実施の形態を示す側面図である。
【図４】図４は、図３の折り畳み設備の折り畳み装置を示す斜視図である。
【図５】図５は、図４のローラと連続帳票との関係を示す正面図である。
【図６】図６は、図４の折り畳み装置の変形例における図５に対応した正面図である。
【図７】図７は、従来の折り畳み設備を示す側面図である。
【図８】図８は、図７の折り畳み設備の折り畳み装置を示す斜視図である。
【図９】図９は、従来の他の折り畳み設備を示す側面図である。
【図１０】図１０は、図９の折り畳み設備の折り畳み装置を示す斜視図である。
【図１１】図１１は、図１０のXI矢視図である。
【符号の説明】
１  連続帳票
２ａ、２ｂ  折れ目線
３  単位帳票
４  横ミシン目
５  連続帳票
６  折れ目線
７  単位帳票
８  横ミシン目
９  連続帳票の幅方向端部
３０  折り畳み設備
３４  供給部
３５  折り畳み装置
３６  第１ガイド棒
３７  第２ガイド棒
３８  第３ガイド棒
３９  第４ガイド棒
４０  三角バー
４１  第１ボールバー
４２  第２ボールバー
４３  ブラシ体（押え部材）
５０  折り畳み設備
５１  折り畳み装置
５４  第４ガイド棒
５５  第５ガイド棒
５６  ローラ（隔離部材）
５７  鼓状部材（隔離部材）
【図１】
0003749937.tif 000002
【図２】
0003749937.tif 000003
【図３】
0003749937.tif 000004
【図４】
0003749937.tif 000005
【図５】
0003749937.tif 000006
【図６】
0003749937.tif 000007
【図７】
0003749937.tif 000008
【図８】
0003749937.tif 000009
【図９】
0003749937.tif 000010
【図１０】
0003749937.tif 000011
【図１１】
0003749937.tif 000012